(57)【要約】      （修正有）【課題】ストレート型フォンプラグでしか接続できないフォンジャックに対しても接続できる、Ｌ字型フォンプラグを提供する。【解決手段】挿入時にフォンジャック内に挿入されるスリーブ部３ａと、挿入時にフォンジャック外にとどまる金属製又は樹脂製の延長スリーブ３ｂを有する。Ｌ字型フォンプラグのスリーブ部を１２．５ｍｍ長くすることにより、ジャック付近の障害物Ｆを回避することが出来、凹みに落としこまれたフォンジャックにも接続できるようになる。【選択図】図６
0003199868.tif 000002
【実用新案登録請求の範囲】
【請求項１】
Ｌ字型フォンプラグで接続が出来なかったフォンジャックに対して、接続を可能にする為に、金属性及び樹脂性の素材を要し、パイプ部及びスリーブ部を延長した長尺Ｌ字型フォンプラグ。
【考案の詳細な説明】
【技術分野】
【０００１】  本考案は、スリーブ部分を長くしたＬ字型フォンプラグに関するものである。
【背景技術】
【０００２】  楽器用ケーブルの両端にはフォンプラグを使用している。そのフォンプラグにはストレート型フォンプラグとＬ字型フォンプラグの２種類がある。エレキギターとアンプを繋ぐ際や、楽器用エフェクター同士を繋ぐ際に、両端にフォンプラグが付いた楽器用ケーブルが使用される。さて、エフェクターボード内にエフェクターとエフェクターを繋ぐ際、エフェクター同士を密接させる必要があり、ストレート型フォンプラグで接続するよりも、Ｌ字型フォンプラグのほうがエフェクター同士を密接させることができる。しかしながら、接続するエフェクターのフォンジャック付近に別のプラグや障害物があることが多く、Ｌ字型フォンプラグで接続することができずストレート型フォンプラグで接続しなければならなくなる。または、フォンジャックの接地部分が落し込まれている場合も、同じくストレート型フォンプラグでしか接続することが出来ない。
【先行技術文献】
【特許文献】
【０００３】
【特許文献１】  特開２０１０−２８７３２６号  公報
【非特許文献】
【０００４】
【非特許文献１】  「有限会社イーエクス・プロ  Ｅｘ−ｐｒｏ製品カタログ２０１１」、有限会社イーエクス・プロ、２０１１年、ｐ８
【考案の概要】
【考案が解決しようとする課題】
【０００５】  ストレート型フォンプラグのケーブルは、線材を引っ張ると抜けてしまう問題と、狭いスペースのエフェクター同士を密接させることができないという問題があるので、Ｌ字型フォンプラグで接続できるようにするほうが好ましい。本考案はフォンジャック付近の障害物や、落とし込まれたフォンジャックに対しても接続できるＬ字型フォンプラグである。したがって前述のストレート型フォンプラグでしか接続できない状況を解決しようとするものである。
【課題を解決するための手段】
【０００６】  本考案は、通常のＬ字型フォンプラグのスリーブ部を１２．５ｍｍ長くし、フォンジャック接地面と、プラグキャップ部及び線材部辺りとの距離を設けることが出来る。それによりフォンジャック付近の障害物を回避し、Ｌ字型フォンプラグで接続できるようになる。または、落し込まれた場所に設置してあるフォンジャックにも対してもＬ字型フォンプラグで接続出来るようになる。
【考案の効果】
【０００７】  上述の様に、本考案に係る長尺Ｌ字型フォンプラグを使用することにより、フォンジャック部付近の障害物に対しての接触も無く、ケーブル部に掛かるストレスも無くなる。よって故障、トラブル回避に直結する。狭いスペースに設置するエフェクター同士の接続でも、ストレート型フォンプラグのケーブルではなく、Ｌ字型フォンプラグのケーブルで接続できるようになるので、エフェクター同士の距離を縮めることが出来る。そして通常のＬ字型フォンプラグのスリーブ部を延長するだけなので容易に製造することができる。
【図面の簡単な説明】
【０００８】
【図１】本考案に係る長尺Ｌ字型フォンプラグの分解図である。
【図２】本考案に係る長尺Ｌ字型フォンプラグ本体の図である。
【図３】本考案に係る長尺Ｌ字型フォンプラグ本体にケーブル部を結線しプラグキャップをつけた図である。
【図４】通常のＬ字型フォンプラグにケーブル部を結線しキャップをつけた図である。
【図５】ストレート型フォンプラグにケーブル部を結線しキャップをつけた図である。
【図６】本考案に係る長尺Ｌ字型フォンプラグが、フォンジャック付近の障害物に接触せずに、フォンジャックに接続している図である。
【図７】本考案に係る長尺Ｌ字型フォンプラグが、落とし込まれているフォンジャックに接続している図である。
【考案を実施するための形態】
【０００９】  本考案の長尺Ｌ字型フォンプラグは、通常のＬ字型フォンプラグのスリーブ部の、フォンジャック外に出る部分を１２．５ｍｍ長く加工した特注仕様のパイプを使用する。図１の１，２，３，４，７を組み立てたＡと、図１の５，６を組み立てたＢを圧入したものが完成品のＣとなる。
【実施例】
【００１０】  以下、添付図面に従って一実施例を説明する。図２は、本考案に係る長尺Ｌ字型フォンプラグ本体で、その本体に線材を結線しプラグキャップをつけたものが図３となる。図３の９のプラグキャップはシールド端子と、結線部をカバーする黄銅製のプラグキャップである。【００１１】  図４は、通常のＬ字型フォンプラグにケーブル部を結線し、プラグキャップを付けた図である。図３の長尺Ｌ字型フォンプラグの３ｂは、図４の３ｃと比較すると長くなっており、この部分がフォンジャック外に出る部分となり、ジャック接地面と、プラグキャップ及びケーブル部との距離を離すことができる。【００１２】  図５はストレート型のフォンプラグである。ケーブル部を図３図４のように下向きにするためには、図５の１０のケーブル部を曲げることとなる。よってケーブル部に大きな負荷をかけることとなり、断線の原因となってしまう。【００１３】  図６のＤは、フォンジャック付近に他のプラグなどの障害物があるエフェクターの図である。本考案の長尺Ｌ字型フォンプラグを接続すると、３ｂのスリーブ部が図４の通常Ｌ字型フォンプラグの３Ｃよりも長い為、障害物となる図６のＦのＤＣプラグを回避できることがわかる。【００１４】  図７のＧはフォンジャックが落としこまれた部分についているギターなどの機材の図である。この状況に対しても、３ｂのスリーブ部が図４の通常Ｌ字型フォンプラグの３Ｃよりも長い為、フォンジャックにＬ字型フォンプラグで接続することが出来る。
【符号の説明】
【００１５】１    チップ先
２    止ピン
３    パイプ特注仕様（スリーブ部）
３ａ  スリーブ部のフォンジャック内に入る部分
３ｂ  特注仕様の長さのスリーブ部（フォンジャック外に出る部分）
３ｃ  通常仕様の長さのスリーブ部（フォンジャック外に出る部分）
４    接片端子
５    シールド端子
６    丸座本体
７    ジュラコン絶縁カラーａ
８    ジュラコン絶縁カラーｂ
９    プラグキャップ
１０  ケーブル部
Ａ    １チップ先、２止ピン、３パイプ特注仕様、４接片端子、７ジュラコン絶縁カラー      ａを組み立てた部分
Ｂ    ６丸座本体、５シールド端子を組み立てた部分
Ｃ    ＡとＢを８ジュラコン絶縁カラーｂを挟んで圧入した部分。最終組み立て部
Ｄ    エフェクターなどの、フォンジャック付近に障害物のある機材
Ｅ    フォンジャック
Ｆ    障害物となる、ＤＣプラグ
Ｇ    ギターなどの、フォンジャックが落としこまれている機材
【図１】
0003199868.tif 000003
【図２】
0003199868.tif 000004
【図３】
0003199868.tif 000005
【図４】
0003199868.tif 000006
【図５】
0003199868.tif 000007
【図６】
0003199868.tif 000008
【図７】
0003199868.tif 000009
【手続補正書】
【提出日】平成27年6月25日(2015.6.25)
【手続補正１】
【補正対象書類名】実用新案登録請求の範囲
【補正対象項目名】全文
【補正方法】変更
【補正の内容】
【実用新案登録請求の範囲】
【請求項１】
フォンジャック内にスリーブ部の一部を挿入する長尺Ｌ字型フォンプラグであって、挿入時にフォンジャック内に挿入されるスリーブ部と、挿入時にフォンジャック外にとどまる金属製又は樹脂製の延長スリーブを有する長尺Ｌ字型フォンプラグ。
【手続補正２】
【補正対象書類名】明細書
【補正対象項目名】０００６
【補正方法】変更
【補正の内容】
【０００６】本考案は、通常のＬ字型フォンプラグのスリーブ部を長くし、フォンジャック接地面とプラグキャップ部及び線材部辺りとの距離を設けることが出来る。それによりフォンジャック付近の障害物を回避し、Ｌ字型フォンプラグで接続できるようになる。または、落し込まれた場所に設置してあるフォンジャックにも対してもＬ字型フォンプラグで接続出来るようになる。